(57)【特許請求の範囲】
【請求項１】
天板の下方に、上方が開口する配線スペースを設け、該配線スペースの開口部を、可撓性を有する繊維を水平かつ同方向を向くように多数並べて束ねたブラシ状の閉塞部材により覆ってなる配線機能付き机において、
前記閉塞部材の一側端を狭持部材により挟み込んで束ねるとともに、前記狭持部材を、その長手方向から挿入可能な嵌合溝を有する取付部材により保持して、該取付部材を前記配線スペースの開口部の側方の部材に止着したことを特徴とする配線機能付き机。
【請求項２】
配線スペースを天板の後端部又は側端部に設けたものにおいて、机本体の後端又は側端の幕板の上部における少なくとも内外のいずれか一方の面に、水平方向を向く係止溝を設けるとともに、取付部材の下端部に前記係止溝に嵌合可能な突条を設け、この突条を係止溝に嵌合させることにより、幕板の上端部に、取付部材を、閉塞部材が前記開口部を覆うように止着したことを特徴とする請求項１に記載の配線機能付き机。
【請求項３】
取付部材が合成樹脂により形成され、かつ下向きに連設された内外に弾性変形可能な取付片の下端に、幕板の係止溝と嵌合する突条を一体形成した請求項２に記載の配線機能付き机。
【請求項４】
幕板の係止溝に、取付部材の突条を長手方向に摺動可能として嵌合した請求項２または３に記載の配線機能付き机。
【発明の詳細な説明】
【０００１】
【発明の属する技術分野】
本発明は、天板上に載置したＯＡ機器等のコード類を、天板の下方の配線スペースに配線し得るようにした配線機能付き机に関する。
【０００２】
【従来の技術】
この種の机としては、天板の後端部に配線挿通孔を形成し、その部分に着脱可能に取付けた複数のカバーの一部を取外して、ＯＡ機器等のコード類を天板の下方の配線ダクトに配線し得るようにしたものや、カバーの一部を薄肉とし、その部分を切除して開口することにより、コード類の配線を可能としたものなどがある。
【０００３】
【発明が解決しようとする課題】
上述のような、配線挿通孔にカバーを止着したものでは、一部のカバーを取外したり、薄肉部を切除したりするのが面倒であるとともに、コード類の挿通部が制約されるという問題がある。
【０００４】
この問題に対処するために、配線挿通孔に、可撓性を有する合成樹脂等の繊維を、水平かつ同方向に多数並べて束ねたブラシ状の閉塞部材を設け、任意の位置においてコード類を簡単に配線可能とすることが考えられている。
【０００５】
しかし、ブラシ状の閉塞部材を長寸とした際、その一端部を撓みにくいように強固に束ねたり、束ねた閉塞部材を天板の後端部や側端部にいかに簡単にかつ着脱可能に取付けるかが、課題となっていた。
【０００６】
本発明は、上記課題を解決するためになされたもので、ブラシ状の閉塞部材の一側端を強固に束ねるとともに、束ねた閉塞部材を机本体の後端部や側端部に簡単に取付けることができるようにした配線機能付き机を提供することを目的としている。
【０００７】
【課題を解決するための手段】
上記課題を解決するために、本発明の配線機能付き机は、天板の下方に、上方が開口する配線スペースを設け、該配線スペースの開口部を、可撓性を有する繊維を水平かつ同方向を向くように多数並べて束ねたブラシ状の閉塞部材により覆ってなる配線機能付き机において、
前記閉塞部材の一側端を狭持部材により挟み込んで束ねるとともに、前記狭持部材を、その長手方向から挿入可能な嵌合溝を有する取付部材により保持して、該取付部材を前記配線スペースの開口部の側方の部材に止着したことを特徴としている。この特徴によれば、ブラシ状の閉塞部材の一側端が、狭持部材により強固に束ねられているため、取付部材の嵌合溝に長手方向から容易に挿入して取付けることができる。また、閉塞部材は、取付部材より抜き外すことができるため、その清掃や交換も容易である。
【０００８】
本発明の配線機能付き机は、配線スペースを天板の後端部又は側端部に設けたものにおいて、机本体の後端又は側端の幕板の上部における少なくとも内外のいずれか一方の面に、水平方向を向く係止溝を設けるとともに、取付部材の下端部に前記係止溝に嵌合可能な突条を設け、この突条を係止溝に嵌合させることにより、幕板の上端部に、取付部材を、閉塞部材が前記開口部を覆うように止着することが好ましい。
このようにすれば、予め閉塞部材を装着しておいた取付部材を、幕板の上端部に簡単に取付けて、配線スペースの開口部を一側部より覆うことができる。
【０００９】
本発明の配線機能付き机は、取付部材が合成樹脂により形成され、かつ下向きに連設された内外に弾性変形可能な取付片の下端に、幕板の係止溝と嵌合する突条を一体形成したことが好ましい。
このようにすれば、取付部材を、その取付片を弾性変形させることにより、幕板の上端部に簡単に取付けることができる。
【００１０】
本発明の配線機能付き机は、幕板の係止溝に、取付部材の突条を長手方向に摺動可能として嵌合することが好ましい。
このようにすれば、取付部材を幕板の長手方向にスライドさせて簡単に着脱することができる。
【００１１】
【発明の実施の形態】
以下、本発明の実施形態を図面に基づいて説明する。
【００１２】
図１ないし図６は、本発明の一実施形態を示すもので、図１は本発明が適用された机本体の全体斜視図、図２は天板の後端部とブラシ状の閉塞部材との関係を示す部分拡大斜視図、図３は天板が外された机本体の後端側に上方から差し込まれる幕板の上端にブラシ状の閉塞部材を取付ける状態を示す斜視図、図４の（ａ）は幕板を上下方向にスライド可能に保持する案内支持部の拡大断面図、（ｂ）はブラシ状の閉塞部材が取付けられた幕板を支持アームの先端に止着する状態を示す部分斜視図であり、図５は閉塞部材の取付部材が幕板の上端に取付けられた状態の一部断面を示す部分斜視図である。
【００１３】
図１に示される１は机本体であり、机本体１は、縦長板状に形成され、下端が前方に張り出した下部アーム２ａ、２ｂを設けた左右の脚部３ａ、３ｂと、両脚部３ａ、３ｂ間に着脱可能に装着される幕板４と、両脚部３ａ、３ｂの上端に前方に張り出して取付けられる一対の支持アーム５ａ、５ｂ（一方のみ図示）と、支持アーム５ａ、５ｂ上に支持される天板６とから構成されている。更に、立設する両脚部３ａ、３ｂは、これら両脚部３ａ、３ｂの上端に支持される支持アーム５ａ、５ｂの対向する内側に向けて突設したブラケット１０ａ、１０ｂに連結される連結杆８によって枠組みされる。
【００１４】
机本体１の両支持アーム５ａ、５ｂ後端部の上部には、パネル等を取付けるための取付孔を形成した突出部７が上部に突設されると共に、この突出部７には、上端面が天板６の上面と同一面を構成するキャップ１４が着脱可能に装着されている。
【００１５】
この間隙に対応して天板６の下方には、図５に示すように、上方が開口する断面コ字形に形成された配線ダクト１６が、その側方が幕板４の上部内側に止着されることで設けられ、この間隙は、幕板４の上端に設けられたブラシ状の閉塞部材（以下ブラシ体２０と称する）によって覆われている。
【００１６】
このブラシ体２０は、可撓性を有する例えばナイロン繊維を水平かつ同方向を向くように多数並べて束ね、ブラシ体２０の一側端を繊維の方向と直交する狭持部材を構成する偏平状に押圧形成された止め金具２３により挟持されている。
【００１７】
止め金具２３は、幕板４の上端に着脱可能な取付部材２２により保持されている。この取付部材２２は、弾性変形可能な合成樹脂により幕板４上端の横幅と同じ長さの帯状に形成され、取付部材２２の端縁には天板６側に開口するスリット状の嵌合溝２５が形成されると共に、この嵌合溝２５内部の中間部上下にはブラシ体２０を上下から挟む一対の突起部２６が形成されて、その後方には止め金具２３を収容保持するための凹溝２８が長手方向に沿って形成されている。
【００１８】
更に、取付部材２２の下端には、幕板４上部の内側に形成された水平方向を向く係止溝１８に嵌合可能な突条３０が、断面Ｕ字状に折曲した弾性変形可能な取付片２９の下端に長手方向に沿って形成されている。
【００１９】
そこで、取付部材２２の端部からスリット状の嵌合溝２５内の凹溝２８に、ブラシ体２０を束ねて挟持した止め金具２３を挿入することで、ブラシ体２０が一対の突起部２６間に挟まれて天板６側端縁から延出した状態で取付られる。
【００２０】
一方、図４の（ａ）に示すように、天板６を支持する両支持アーム５ａ、５ｂ間の後端上部と、両脚部３ａ、３ｂ間の対向する後端内側には、上下方向を向く案内溝１２が形成されており、この案内溝１２は内部に形成される偏平孔１３に連通している。この案内溝１２には、幕板４の両側から突設した係止突起１５が係合して幕板４を上下方向に案内支持している。
【００２１】
そして、この幕板４の上端内側には、取付部材２２の下端に形成される突条３０を摺動可能に嵌合する係止溝１８が幕板４の上端縁と平行に形成されている。尚、前述した実施形態では、配線ダクト１６の開口部に対応するよう天板６と幕板４との間で形成される間隙を、天板６の後端に設けた例につき説明したが、これに限らず天板６の側面に設けることも可能である。また、取付部材２２の突条３０が係止される係止溝１８を、幕板４の上部内側に形成した例につき説明したが、内側に限らず外側に形成することも可能である。
【００２２】
次に、上記のように構成されたブラシ状閉塞部材を取付ける手順に付き説明する。
【００２３】
先ず、図３に示すように、両支持アーム５ａ、５ｂ間の、後端上部から両脚部３ａ、３ｂ間の対向する後端内側に形成された上下方向を向く案内溝１２に、案内支持される幕板４を上方に引き上げる。
【００２４】
この状態で、ブラシ体２０を取付けた取付部材２２の突条３０を幕板４の上端内側の係止溝１８に係合させた状態で、幕板４の片側から取付部材２２を長手方向に向けて挿入して幕板４の上端に取り付ける。次いで、幕板４の上部内側に上方が開口する配線ダクト１６が止着される。
【００２５】
図４の（ｂ）に示すように、取付部材２２が取り付けられて下端まで下降した幕板４は、両支持アーム５ａ、５ｂ後端部の上部に内側に向けて突設したブラケットＢＫ下方の切欠きより挿通したボルトＳにより固定される。
【００２６】
次に、天板６を両支持アーム５ａ、５ｂの上部に支持するに際し、天板６を、幕板４の内側との間に配線スペースの開口部としての所定幅Ｄの間隙が形成されるように固定するとともに、この間隙をブラシ体２０によって閉塞する。また、この状態で、幕板４の上部に側方から差し込むように取付けられた取付部材２２の左右端が、左右のキャップ１４の内面に当接され、左右方向の移動が規制されることになる。
【００２７】
そこで、配線ダクト１６内にＯＡ機器等のコード類Ｃが配線されて、これらコード類Ｃは、図５に示すように、必要に応じてブラシ体２０を挿通して適宜天板６上に取り出すことができる。
【００２８】
従って、このように構成された配線機能付き机によれば、ブラシ体２０の一側端が、止め金具２３により強固に束ねられているため、取付部材２２の嵌合溝２５に長手方向から容易に挿入して取付けることができる。また、ブラシ体２０は、取付部材２２より側方に抜き外すことができるため、その清掃や交換が容易となる。
【００２９】
また、幕板４の上部における内側の面に、水平方向を向く嵌合溝２５を設けるとともに、この嵌合溝２５に、取付部材２２の下端部に設けた突条３０を嵌合させることにより、ブラシ体２０が間隙を覆うように幕板４の上端部に取付部材２２が止着されているので、予めブラシ体２０を装着しておいた取付部材２２を、幕板４の上端部に簡単に取付けて、配線ダクト１６の開口部を一側部より覆うことができる。
【００３０】
更に、取付部材２２を合成樹脂により形成し、かつ下向きに連設された内外に弾性変形可能な取付片２９の下端に、幕板４の係止溝１８と嵌合する突条３０が一体形成されているので、取付部材２２の取付片２９を弾性変形させることにより、幕板４の上端部に簡単に取付けることができる。
【００３１】
更に加えて、幕板４の係止溝１８に、取付部材２２の突条３０が、長手方向に摺動可能に嵌合するよう構成されているので、取付部材２２を幕板４の長手方向にスライドさせて簡単に着脱することができる。また、上記実施形態では、配線スペースの両開口部が、机の後端となる幕板４の上部にブラシ体２０を取り付けた例として示されているが、配線スペースの開口部は机の後端に限らず、側端や天板６の内部に形成されても良い。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
【発明の効果】
本発明は以下の効果を奏する。
【００３４】
（ａ）請求項１項の発明によれば、ブラシ状の閉塞部材の一側端が、狭持部材により強固に束ねられているため、取付部材の嵌合溝に長手方向から容易に挿入して取付けることができる。また、閉塞部材は、取付部材より抜き外すことができるため、その清掃や交換も容易である。
【００３５】
（ｂ）請求項２項の発明によれば、予め閉塞部材を装着しておいた取付部材を、幕板の上端部に簡単に取付けて、配線スペースの開口部を一側部より覆うことができる。
【００３６】
（ｃ）請求項３項の発明によれば、取付部材を、その取付片を弾性変形させることにより、幕板の上端部に簡単に取付けることができる。
【００３７】
（ｄ）請求項４項の発明によれば、取付部材を幕板の長手方向にスライドさせて簡単に着脱することができる。
【図面の簡単な説明】
【図１】本発明が適用された机本体の斜視図である。
【図２】天板の後端部とブラシ状の閉塞部材との関係を示す部分拡大斜視図である。
【図３】天板が外された机本体の後端側に上方から差し込まれる幕板の上端にブラシ状の閉塞部材を取付ける状態を示す斜視図である。
【図４】（ａ）は幕板を上下方向にスライド可能に保持する案内支持部の拡大断面図、
（ｂ）はブラシ状の閉塞部材が取付けられた幕板を支持アームの先端に止着する状態を示す部分斜視図である。
【図５】閉塞部材の取付部材が幕板の上端に取付けられた状態の一部断面を示す部分斜視図である。
【符号の説明】
１                机本体
２ａ、２ｂ        下部アーム
３ａ、３ｂ        脚部
４                幕板
５ａ、５ｂ        支持アーム
６                天板
７                突出部
８                連結杆
１０ａ、１０ｂ    ブラケット
１２              案内溝
１３              偏平孔
１４              キャップ
１４ａ            当接部
１５              係止突起
１６              配線ダクト
１８              係止溝
２０              ブラシ体
２２              取付部材
２３              金具（狭持部材）
２５              嵌合溝
２６              突起部
２８              凹溝
２９              取付片
３０              突条
ＢＫ              ブラケット
Ｃ                コード類
Ｓ                ボルト
【図１】
0004598291.tif 000002
【図２】
0004598291.tif 000003
【図３】
0004598291.tif 000004
【図４】
0004598291.tif 000005
【図５】
0004598291.tif 000006